(57)【要約】【課題】電子辞書システムであって、ユーザに適した説明情報の内容で単語とその意味とを表示させる。【解決手段】電子辞書１０により見出し語検索されて表示された見出し語（単語）とその説明情報の表示画面Ｇにおいて、携帯単語帳３０に登録したい前記説明情報の任意の範囲Ｈ１，Ｈ２，…を指定すると、当該指定された範囲Ｈ１，Ｈ２，…を表示させるためのデータが表示装置３０へ順次送信されそのタッチパネル式表示部に表示される。そして、前記表示装置３０に表示された登録対象の見出し語の説明情報における指定範囲のデータの表示状態を確認した後にその表示内容が登録される。【選択図】      図６
2017004032.tif 000002
【特許請求の範囲】
【請求項１】
辞書機能を備えた電子機器と当該電子機器と通信可能な表示装置とを備えた電子辞書システムであって、
前記辞書機能を備えた電子機器は、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段とを備え、
前記表示装置は、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段とを備えた、
ことを特徴とする電子辞書システム。
【請求項２】
前記表示装置において、
前記データ表示手段は、前記データ受信手段により受信された指示データに基づいて行われる表示が１画面に納まるかを判断し、１画面に納まらないと判断した場合はフォントサイズを小さくして表示する、
ことを特徴とする請求項１に記載の電子辞書システム。
【請求項３】
前記表示装置において、
前記データ表示手段により表示されたデータにマーカーを付加するマーカー付加手段を備え、
前記マーカー付加手段によりマーカーを付加した場合、前記登録手段は、前記データ表示手段により表示されたデータを前記マーカーを付加した状態で登録する、
ことを特徴とする請求項１または請求項２に記載の電子辞書システム。
【請求項４】
前記表示装置において、
前記データ表示手段により表示されたデータのうちユーザ操作に応じて指定されたデータを並び替えて表示する並び替え表示手段を備え、
前記並び替え表示手段によりデータを並び替えて表示した場合、前記登録手段は、前記データ表示手段により表示されたデータを並び替えた状態で登録する、
ことを特徴とする請求項１ないし請求項３の何れか１項に記載の電子辞書システム。
【請求項５】
表示装置と通信可能な辞書機能を備えた電子機器であって、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段と、
を備えたことを特徴とする辞書機能を備えた電子機器。
【請求項６】
見出し語とその説明情報を表示する情報表示手段と、前記情報表示手段により表示された説明情報のうちユーザ操作に応じて任意の範囲を指定する範囲指定手段と、前記範囲指定手段により前記表示された説明情報のうちの任意の範囲が指定された後、当該指定の範囲のデータに対応する指示データを送信するデータ送信手段とを備えた辞書機能を備えた電子機器と通信可能な表示装置であって、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段と、
を備えたことを特徴とする表示装置。
【請求項７】
表示装置と通信可能な辞書機能を備えた電子機器のコンピュータを、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段、
として機能させるためのプログラム。
【請求項８】
見出し語とその説明情報を表示する情報表示手段と、前記情報表示手段により表示された説明情報のうちユーザ操作に応じて任意の範囲を指定する範囲指定手段と、前記範囲指定手段により前記表示された説明情報のうちの任意の範囲が指定された後、当該指定の範囲のデータに対応する指示データを送信するデータ送信手段とを備えた辞書機能を備えた電子機器と通信可能な表示装置のコンピュータを、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段、
として機能させるためのプログラム。
【発明の詳細な説明】
【技術分野】
【０００１】
本発明は、単語の学習に適した電子辞書システム、辞書機能を備えた電子機器、表示装置、およびその制御プログラムに関する。
【背景技術】
【０００２】
単語を学習する電子装置として電子辞書がある。また、より小型化されて携帯に便利な電子単語帳も実用されている。
【０００３】
従来、電子辞書と別体の携帯型表示装置に当該電子辞書から辞書のデータを取り込み、その携帯型表示装置によって、取り込んだ辞書のデータをユーザの手元で表示させたり、発音の音声をイヤホンから出力させたりすることで、携帯性良く単語を学習できる電子辞書装置が考えられている（例えば、特許文献１参照。）。
【０００４】
また、単語やその意味を順次その文字列のイメージデータとして取り込み、この取り込まれた各イメージデータを、ユーザ操作に応じて順番に読み出して表示させることで、簡単に所望の単語を学習できる自己テスト学習機も考えられている（例えば、特許文献２参照。）。
【先行技術文献】
【特許文献】
【０００５】
【特許文献１】特開２００９−２６６０２４号公報
【特許文献２】特開平０８−８３０３９号公報
【発明の概要】
【発明が解決しようとする課題】
【０００６】
電子単語帳は、携帯性が重要であることから、小型であり表示画面が小さくならざるを得ない。そして、単語とその意味とを紙の単語帳を捲るように切替えて表示させながら学習したい要望から、当該電子単語帳に記憶される辞書データは、例えば単語の意味が含まれる説明情報の内容について、主要な意味に絞って簡略化した簡略辞書として記憶されることが多い。
【０００７】
しかしながら、電子単語帳に記憶される辞書データの各単語に対応する説明情報が簡略辞書として予め決まってしまっていたのでは、ユーザ個人に適した且つ小型の表示画面でも見易い内容として単語の説明を表示させることができない。
【０００８】
本発明は、このような課題に鑑みなされたもので、ユーザに適した説明情報の内容で単語の意味を表示させることが可能になる電子辞書システム、辞書機能を備えた電子機器、表示装置、およびその制御プログラムを提供することを目的とする。
【課題を解決するための手段】
【０００９】
本発明に係る電子辞書システムは、辞書機能を備えた電子機器と当該電子機器と通信可能な表示装置とを備えた電子辞書システムであって、
前記辞書機能を備えた電子機器は、見出し語とその説明情報を表示する情報表示手段と、前記情報表示手段により表示された説明情報のうちユーザ操作に応じて任意の範囲を指定する範囲指定手段と、前記範囲指定手段により前記表示された説明情報のうちの任意の範囲が指定された後、当該指定の範囲のデータに対応する指示データを前記表示装置へ送信するデータ送信手段とを備え、
前記表示装置は、前記辞書機能を備えた電子機器から送信された前記指示データを受信するデータ受信手段と、前記データ受信手段により受信された前記指示データに基づいて、前記見出し語の説明情報における前記指定の範囲のデータを表示するデータ表示手段と、前記データ表示手段により表示された前記見出し語の説明情報における前記指定の範囲のデータを登録する登録手段とを備えた、ことを特徴としている。
【発明の効果】
【００１０】
本発明によれば、ユーザに適した説明情報の内容で単語の意味を表示させることが可能になる。
【図面の簡単な説明】
【００１１】
【図１】本発明の実施形態に係る電子辞書システムの外観構成を示す図。
【図２】電子辞書１０の電子回路の構成を示すブロック図。
【図３】携帯単語帳３０の電子回路の構成を示すブロック図。
【図４】前記電子辞書１０の全体処理を示すフローチャート。
【図５】前記携帯単語帳３０の全体処理を示すフローチャート。
【図６】前記電子辞書１０と携帯単語帳３０の処理に従った表示動作（その１）を示す図。
【図７】前記電子辞書１０と携帯単語帳３０の処理に従った表示動作（その２）を示す図。
【発明を実施するための形態】
【００１２】
以下図面により本発明の実施の形態について説明する。
【００１３】
図１は、本発明の実施形態に係る電子辞書システムの外観構成を示す図である。
【００１４】
この電子辞書システムは、電子辞書１０と当該電子辞書１０と相互に通信可能な携帯型表示装置３０からなる。以下この携帯型表示装置３０を携帯単語帳３０と称して説明する。
【００１５】
前記電子辞書１０は、以下に説明する電子辞書専用の携帯機器として構成される。なお、以下に示す電子辞書が行う処理プログラムを、辞書機能を備えたタッチパネル式のＰＤＡ(personal digital assistants)、ＰＣ(personal computer)、携帯電話、電子ブック、携帯ゲーム機等にインスト−ルすることで電子辞書として構成させてもよい。
【００１６】
電子辞書１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー、辞書選択キー、［登録］キー１４Ｒ、［決定］キー、［戻る］キー、カーソルキーなどを備えたキー入力部１４が備えられる。
【００１７】
また前記蓋体ケース１２の表面には、そのほぼ全面を対象にバックライト付きのタッチパネル式表示部１５が設けられる。
【００１８】
前記タッチパネル式表示部１５は、ユーザがペンや指等でタッチした位置を検出するタッチ位置検出装置と表示装置が一体となった構造であり、バックライト付きカラー液晶表示画面１５ｄに透明タッチパネル１５ｔを重ねて構成される。
【００１９】
一方、前記携帯単語帳３０は、以下に説明する携帯単語帳専用の携帯機器として構成される。なお、以下に示す携帯単語帳が行う処理プログラムを、携帯電話、電子ブック、携帯ゲーム機等にインスト−ルすることで携帯型単語帳として構成させてもよい。
【００２０】
携帯単語帳３０は、例えばカードサイズの本体ケースを有し、その正面の左端に沿って縦長のキー入力部３１が備えられ、それ以外の領域にタッチパネル式表示部３２が備えられる。
【００２１】
前記キー入力部３１には、前記表示部３２に表示される単語帳データを、次のデータに送る［送り］キー３１ａ、前のデータに戻す［戻り］キー３１ｂ、表示中の単語帳データの単語のチェックボックスにチェックデータを書き込んだり消去したりするための［チェック］キー３１ｃ、表示中のデータの読み上げ音声を出力させるための［音声］キー３１sが備えられる。
【００２２】
前記電子辞書１０および携帯単語帳３０からなる電子単語帳システムは、電子辞書１０での見出し語検索に従い表示された説明情報表示画面Ｇ内の見出し語とその説明情報のうち、当該見出し語およびユーザによって指定した範囲Ｈｎのデータを、携帯単語帳３０に送信してそこでの表示態様を確認しながら、同携帯単語帳３０の単語帳データとして登録する機能を有する。こうすることで、前記携帯単語帳３０に登録する単語帳データを、ユーザ個人に適した且つ小型の表示画面でも見易い内容として登録することができる。
【００２３】
図２は、前記電子辞書１０の電子回路の構成を示すブロック図である。
【００２４】
図３は、前記携帯単語帳３０の電子回路の構成を示すブロック図である。
【００２５】
前記電子辞書１０の電子回路は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２６】
このＣＰＵ２１は、記憶装置２２内に予め記憶された辞書制御プログラム２２ａ、あるいはＲＯＭカードなどの外部記録媒体２３から記録媒体読み取り部２４を介して前記記憶装置２２に読み込まれた辞書制御プログラム２２ａ、あるいはインターネットＮ上のＷｅｂサーバ（この場合はプログラムサーバ）５０から通信部２５を介して前記記憶装置２２に読み込まれた辞書制御プログラム２２ａに応じて、ＲＡＭ２６を作業用メモリとして回路各部の動作を制御する。
【００２７】
前記記憶装置２２に記憶された辞書制御プログラム２２ａは、前記キー入力部１４、タッチパネル式表示部１５からのユーザ操作に応じた入力信号、あるいは通信部２５を介して接続されるインターネットＮ上の各Ｗｅｂサーバ５０…や前記携帯単語帳３０との通信信号に応じて起動される。
【００２８】
なお、前記携帯単語帳３０との通信は、Blue-tooth（登録商標）等の近距離無線通信によって行われる。
【００２９】
このように、前記ＣＰＵ２１には、前記記憶装置２２、記録媒体読み取り部２４、通信部２５、ＲＡＭ２６、キー入力部１４、タッチパネル式表示部１５が接続される。
【００３０】
前記記憶装置２２には、辞書制御プログラム２２ａとして、当該電子辞書１０の全体の動作を司るシステムプログラム、通信部２５を介してインターネットＮ上の各Ｗｅｂサーバ５０…や図示しないユーザＰＣ(Personal Computer)、前記携帯単語帳３０などとデータ通信するための通信プログラム等が記憶される。
【００３１】
また、前記辞書制御プログラム２２ａとして、検索語入力処理、検索語に対応した見出し語検索処理、検索見出し語のプレビュー付き一覧表示処理、一覧から選択された見出し語に対応する語義（意味）・用例・解説などの各種説明情報の読み出し表示処理、表示された見出し語とその説明情報のうち所望の範囲Ｈｎを指定し当該見出し語と指定の範囲Ｈｎの説明情報を携帯単語帳３０に送信して表示させながら単語帳データとして登録する単語帳登録処理など、同記憶装置２２内の辞書データベース２２ｂに基づく検索・読み出し・表示・送信・登録処理全般を制御するためのプログラムが記憶される。
【００３２】
前記辞書データベース２２ｂには、例えば、国語辞典、英和辞典、和英辞典、英英辞典、百科事典等の各種の辞書が記憶される。
【００３３】
例えば、前記英和辞典の辞書データとしては、アルファベット順にした各英単語の見出し語とその日本語の意味（語義）およびその語義に応じた用例などからなる説明情報が対応付けられて記憶される。
【００３４】
なお、前記英和辞典以外の各種の辞書データも、基本的には当該英和辞典と同様に、各見出し語とその意味を含む説明情報が対応付けられたデータ構造として記憶される。
【００３５】
前記ＲＡＭ２６には、表示データメモリ２６ａなどが確保される。
【００３６】
前記表示データメモリ２６ａには、前記タッチパネル式表示部１５の画面に表示させる表示データがビットマップパターンに展開されて記憶される。
【００３７】
このように構成された電子辞書１０は、前記ＣＰＵ２１が前記辞書制御プログラム２２ａ（検索語入力処理、見出し語検索処理、プレビュー付き見出し語一覧表示処理、選択見出し語の説明情報表示処理、説明情報の指定範囲Ｈｎに応じた単語帳登録処理等を実行するためのプログラムを含む）に記述された命令に従い回路各部の動作を制御し、ソフトウエアとハードウエアとが協働して動作することにより、以下の動作説明で述べる機能を実現する。
【００３８】
一方、前記携帯単語帳３０の電子回路は、図３に示すように、プログラムによって動作が制御されるコンピュータによって構成され、その電子回路には、ＣＰＵ４１が備えられる。
【００３９】
このＣＰＵ４１は、記憶装置４２内に予め記憶された単語帳制御プログラム４２ａに応じて、ＲＡＭ４４を作業用メモリとして回路各部の動作を制御する。なお、単語帳制御プログラム４２ａは、携帯単語帳３０に電子辞書１０以外と通信可能な外部インターフェースを備えさせた場合には、ＲＯＭカードなどの外部記録媒体やインターネットＮ上のＷｅｂサーバ（この場合はプログラムサーバ）５０から前記記憶装置４２に読み込むようにすることができる。
【００４０】
前記記憶装置４２に記憶された単語帳制御プログラム４２ａは、前記キー入力部３１からのユーザ操作に応じた入力信号、あるいは前記通信部４３を介して接続される前記電子辞書１０との通信信号に応じて起動される。
【００４１】
このように、前記ＣＰＵ４１には、前記記憶装置４２、通信部４３、ＲＡＭ４４、キー入力部３１、タッチパネル式表示部３２の他、報音部４５が接続される。
【００４２】
前記記憶装置４２には、前記単語帳制御プログラム４２ａとして、当該携帯単語帳３０の全体の動作を司るシステムプログラム、前記通信部４３を介して前記電子辞書１０とデータ通信するための通信プログラム等が記憶される。
【００４３】
また、前記単語帳制御プログラム４２ａとして、前記電子辞書１０から受信された見出し語および当該見出し語に対応する説明情報のうちユーザによる指定範囲Ｈｎの説明情報を表示させ単語帳データ４２ｂとして登録するための単語帳登録処理、登録された単語帳データ４２ｂの内容をユーザ操作に応じて順番に表示させるため単語帳表示処理など、前記電子辞書１０との通信に基づく単語帳データ４２ｂの登録・表示処理全般を制御するためのデータ処理プログラムが記憶される。
【００４４】
前記ＲＡＭ４４には、前記タッチパネル式表示部３２に表示させるべき表示データが記憶される表示データメモリ４４ａなどが確保される。
【００４５】
このように構成された携帯単語帳３０は、前記ＣＰＵ４１が前記単語帳制御プログラム４２ａ（単語帳登録処理、単語帳表示処理等を実行するためのプログラムを含む）に記述された命令に従い回路各部の動作を制御し、ソフトウエアとハードウエアとが協働して動作することにより、以下の動作説明で述べる機能を実現する。
【００４６】
次に、前記構成の電子単語帳システムの動作について説明する。
【００４７】
図４は、前記電子辞書１０の全体処理を示すフローチャートである。
【００４８】
図５は、前記携帯単語帳３０の全体処理を示すフローチャートである。
【００４９】
図６は、前記電子辞書１０と携帯単語帳３０の処理に従った表示動作（その１）を示す図である。
【００５０】
図７は、前記電子辞書１０と携帯単語帳３０の処理に従った表示動作（その２）を示す図である。
【００５１】
前記電子辞書１０において、前記キー入力部１４の操作に応じてユーザ所望の辞書（例えば［英和辞典］）が選択されると（ステップＳ１）、当該選択された辞書に応じた検索語入力画面（図示せず）が前記タッチパネル式表示部１５に表示される（ステップＳ２）。
【００５２】
この検索語入力画面において、所望の検索語、例えば「information」が入力されると（ステップＳ２）、入力された検索語に対応した見出し語「information」が前記辞書データベース２２ｂ内の前記選択された辞書［英和辞典］から検索され、当該検索された見出し語「information」とその説明情報が、例えば図６（Ａ１）に示すように説明情報表示画面Ｇとして前記タッチパネル式表示部１５に表示される（ステップＳ３）。
【００５３】
ここでユーザが、当該見出し語の辞書データについて携帯単語帳３０に登録したいと考えた場合には、キー入力部１４の［登録］キー１４Ｒが操作される。前記電子辞書１０は、説明情報表示画面Ｇが表示された状態で、キー入力部１４の［登録］キー１４Ｒが操作されたことを検出すると（ステップＳ４（Ｙｅｓ））、前記検索されて表示されている見出し語（単語）「information」が、まず携帯単語帳３０へ送信される（ステップＳ５）。
【００５４】
この際、前記電子辞書１０の説明情報表示画面Ｇには、前記携帯単語帳３０に登録するデータにユーザ任意のキー入力データを追加するためのモードに設定するキー入力モードキー［Ｋ］、前記携帯単語帳３０に登録するデータのユーザ任意の範囲にカラーマーカーを付加するための編集モードに設定するマーカーキー［Ｍ］、前記携帯単語帳３０に登録するデータの内容をユーザ任意に並び替えるための編集モードに設定する編集キー［Ｅ］が表示される。
【００５５】
前記携帯単語帳３０において、前記電子辞書１０から送信された見出し語「information」が受信されると（ステップＴ１（Ｙｅｓ））、図６（Ｂ１）に示すように、当該受信された見出し語「information」がタッチパネル式表示部３２に表示される（ステップＴ２）。
【００５６】
次に、前記電子辞書１０において、図６（Ａ２）に示すように、説明情報表示画面Ｇに表示されている見出し語「information」の説明情報のうち、登録対象としたいデータの範囲「知らせる…こと」Ｈ１，「案内」Ｈ２，「（情報理論による）…情報量」Ｈ３がタッチ操作により順番に指定されて識別表示されると（ステップＳ６）、範囲が指定されるたびに、当該指定された範囲のデータＨ１，Ｈ２，Ｈ３が順次携帯単語帳３０へ送信される（ステップＳ７，Ｓ８）。
【００５７】
前記携帯単語帳３０において、前記電子辞書１０から送信された指定範囲のデータＨ１，Ｈ２，Ｈ３が受信されると（ステップＴ３（Ｙｅｓ））、当該指定範囲のデータ「知らせる…こと」Ｈ１，「案内」Ｈ２，「（情報理論による）…情報量」Ｈ３は、ＲＡＭ４４の表示データメモリ４４ａに順次取り込まれ、図６（Ｂ２ａ）（Ｂ２ｂ）に示すようにタッチパネル式表示部３２に表示される（ステップＴ４〜Ｔ１１）。
【００５８】
この際、前記指定範囲のデータＨ１，Ｈ２，Ｈ３が順次取り込まれる毎に、当該データＨｎが追加データであるか否かが判断され（ステップＴ５）、追加データと判断された２番目以降のデータＨ２，Ｈ３については、当該データの先頭に区切り記号「：」が追加されて取り込まれる（ステップＴ５（Ｙｅｓ），Ｔ６）。
【００５９】
また、前記指定範囲のデータＨ１，Ｈ２，Ｈ３が順次取り込まれる毎に、その全体のデータ量について前記タッチパネル式表示部３２（表示データメモリ４４ａ）の表示領域から溢れるか否かが判断され（ステップＴ７）、表示領域から溢れると判断された場合には（ステップＴ７（Ｙｅｓ））、当該取り込まれた全体のデータＨ１，Ｈ２，Ｈ３（区切り記号含む）について、そのフォントサイズが小さく変更される（ステップＴ８）。
【００６０】
ここで、予め設定された最小のフォントサイズに変更した場合でも前記表示領域から溢れる（表示不可能）と判断された場合には（ステップＴ９（Ｙｅｓ））、その旨をユーザに報知するアラーム音が前記報音部４５から出力される（ステップＴ１０）。
【００６１】
これは前記携帯単語帳３０において表示させる見出し語（単語）とその説明情報のデータがスクロールすることなく１画面内で確認できるようにするためである。
【００６２】
こうして、前記ＲＡＭ４４内の表示データメモリ４４ａに取り込まれて区切り記号「：」が追加されたりフォントサイズが変更されたりした前記指定範囲のデータ「知らせる…こと」Ｈ１，「案内」Ｈ２，「（情報理論による）…情報量」Ｈ３が、図６（Ｂ２ａ）（Ｂ２ｂ）に示すようにタッチパネル式表示部３２に表示される（ステップＴ１１）。
【００６３】
なお、前記図６（Ｂ２ａ）の表示に対し図６（Ｂ２ｂ）の表示は、前記指定範囲のデータ「（情報理論による）…情報量」Ｈ３が追加された際に、表示領域から溢れると判断されることで、フォントサイズが小さく変更された場合の表示動作を示している。
【００６４】
これにより、前記携帯単語帳３０への登録対象のデータを、当該携帯単語帳３０の小型のタッチパネル式表示部３２に実際に表示させながら、前記電子辞書１０側でのユーザ操作によって、その小型の画面内に納まるように調整することができる。
【００６５】
また、前記電子辞書１０においては、前記キー入力モードキー［Ｋ］、マーカーキー［Ｍ］、編集キー［Ｅ］を操作することで、任意のテキストデータを携帯単語帳３０に入力したり、携帯単語帳３０に入力したデータを編集することが可能になる。例えば、図６（Ａ３）に示すように、説明情報表示画面Ｇに表示されている見出し語「information」の説明情報のうち、登録対象としたいデータの範囲「知らせる…こと」Ｈ１，「案内」Ｈ２がタッチ操作により指定されて前記携帯単語帳３０へ送信された後（ステップＳ６〜Ｓ８）、前記キー入力モードキー［Ｋ］の操作によりユーザ任意のキー入力データを追加するためのモードに設定されると（ステップＳ９（Ｙｅｓ））、追加データ表示ウインドウＷが表示される（ステップＳ１０）。
【００６６】
そして、キー入力部１４の文字入力キーの操作に応じて、前記登録対象の見出し語「information」に対応した説明情報として、ユーザにより「受付係」が入力され、前記追加データ表示ウインドウＷに表示されると（ステップＳ１０）、当該キー入力されたデータ「受付係」も前記携帯単語帳３０へ送信される（ステップＳ１１）。
【００６７】
前記携帯単語帳３０において、前記電子辞書１０から送信されたキー入力データ「受付係」が受信されると（ステップＴ１２（Ｙｅｓ））、当該キー入力データ「受付係」は予め設定された特定の表示態様（ここでは斜体フォント）で表示データメモリ４４ａに取り込まれ（ステップＴ１３）、図６（Ｂ３）に示すように表示更新される（ステップＴ７〜Ｔ１１）。
【００６８】
また、前記電子辞書１０において、図７（Ａ１）に示すように、説明情報表示画面Ｇに表示されている見出し語「information」の説明情報のうち、登録対象としたいデータの範囲「知らせる…こと」Ｈ１，「案内」Ｈ２，「（情報理論による）…情報量」Ｈ３がタッチ操作により指定されて前記携帯単語帳３０へ送信された後（ステップＳ６〜Ｓ８）、前記マーカーキー［Ｍ］の操作により当該登録対象としたデータのユーザ任意の範囲にマーカーを付加するための編集モードに設定されると（ステップＳ１２（Ｙｅｓ））、マーカー色選択メニューＭｃが表示される（ステップＳ１３）。
【００６９】
前記マーカー色選択メニューＭｃにおいて、同図７（Ａ１）に示すように［緑］が選択されて識別表示されると（ステップＳ１３）、当該選択されたマーカー色［緑］の編集データが前記携帯単語帳３０へ送信される（ステップＳ１４）。
【００７０】
前記携帯単語帳３０において、前記電子辞書１０から送信されたマーカー色［緑］の編集データが受信されると（ステップＴ１４（Ｙｅｓ））、図７（Ｂ１ａ）に示すように、表示画面の右上に、前記マーカー色［緑］のマーカーを付加することが可能な状態であることを示す緑色のマーカーマークｍｇが表示される（ステップＴ１５）。
【００７１】
ここで、図７（Ｂ１ｂ）に示すように、前記携帯単語帳３０のタッチパネル式表示部３２に表示されている登録対象のデータのうち、マーカーを付加したい範囲（ここでは「案内」）がタッチ操作されて指定されると、当該指定の範囲「案内」に緑のマーカーＭｇが付加されて表示される（ステップＴ１６）。
【００７２】
また、前記電子辞書１０において、図７（Ａ２）に示すように、前記編集キー［Ｅ］の操作により、前記登録対象としたデータの内容をユーザ任意に並び替えるための編集モードに設定されると（ステップＳ１２（Ｙｅｓ））、当該編集モード（並び替え）の設定データが前記携帯単語帳３０へ送信される（ステップＳ１３，Ｓ１４）。
【００７３】
前記携帯単語帳３０において、前記電子辞書１０から送信された編集モード（並び替え）の設定データが受信されると（ステップＴ１７（Ｙｅｓ））、図７（Ｂ２ａ）に示すように、表示画面の左上に、前記並び替えの編集が可能な状態であることを示す編集マークｍｅが表示される。
【００７４】
ここで、例えば前記緑色のマーカーマークＭｇが付加されて表示されているデータ「案内」がペンタッチＰにより指定され、図７（Ｂ２ａ）（Ｂ２ｂ）の矢印ｄに示すように移動されると、当該移動の操作に応じて前記指定されているデータ「案内」が移動されて表示され、これまで先頭に表示されていたデータ「知らせる…こと」と並び替えられて表示される（ステップＴ１８）。
【００７５】
これにより、前記電子辞書１０において見出し語検索された見出し語とその説明情報のうち、ユーザ任意に指定した指定範囲Ｈ１，Ｈ２，…のデータだけを登録対象のデータとして前記携帯単語帳３０に送信し、そのタッチパネル式表示部３０の１画面に納まるように表示させて見ることができるだけでなく、そのうち任意の部分のデータに任意の色のマーカーＭｇを付加して表示させたり、任意の部分のデータを入れ替えて表示させたりすることができる。
【００７６】
この後、前記電子辞書１０において［決定］キーが操作されると、登録操作終了と判断され（ステップＳ１５（Ｙｅｓ））、当該電子辞書１０での一連の処理が終了される（Ｅｎｄ）。
【００７７】
そして、前記携帯単語帳３０において、終了操作がなされたと判断されると（ステップＴ１９（Ｙｅｓ））、その時点で当該携帯単語帳３０のタッチパネル式表示部３２に表示されている見出し語とその説明情報のデータ（図７（Ｂ２ｂ）参照）が単語帳データ４２ｂとして登録される（ステップＴ２０）。
【００７８】
したがって、前記構成の電子単語帳システムによれば、電子辞書１０により見出し語検索されて表示された見出し語（単語）とその説明情報の表示画面Ｇにおいて、［登録］キー１４Ｒを操作して携帯単語帳３０に登録したい前記説明情報の任意の範囲Ｈ１，Ｈ２，…を指定すると、当該見出し語および前記範囲Ｈ１，Ｈ２，…を指定する毎にその指定範囲Ｈｎのデータが携帯単語帳３０へ順次送信されそのタッチパネル式表示部３２に表示される。そして、前記携帯単語帳３０に表示された登録対象の見出し語およびその説明情報における指定範囲のデータの表示状態を確認した後にその表示内容が単語帳データ４２ｂとして登録される。
【００７９】
これにより、ユーザに適した説明情報の内容で単語とその意味とを携帯単語帳３０に登録することができる。
【００８０】
また、前記構成の電子単語帳システムによれば、前記電子辞書１０から携帯単語帳３０に送信されて表示された登録対象のデータが、１画面に納まらずに溢れる場合には、当該データのフォントサイズが小さく変更されるので、登録対象のデータを１画面に納まるように表示させて登録できる。
【００８１】
これにより、ユーザに適した説明情報の内容で単語とその意味とを携帯単語帳３０に登録することができるだけでなく、当該携帯単語帳３０の小型のタッチパネル式表示部３２での表示状態を、スクロールせずに１画面に納めて見られるよう、操作性の良い電子辞書１０側での操作によって確認しながら登録できる。
【００８２】
また、前記構成の電子単語帳システムによれば、前記電子辞書１０から携帯単語帳３０に送信した登録対象のデータが当該携帯単語帳３０のタッチパネル式表示部３２に表示されている状態で、前記電子辞書１０側でのマーカーキー［Ｍ］の操作により前記登録対象としたデータのユーザ任意の範囲にマーカーを付加するための編集モードに設定すると、前記携帯単語帳３０のタッチパネル式表示部３２をタッチ操作することにより、前記登録対象のデータのうち任意の範囲のデータにマーカーＭｇを付加して表示させて登録できる。
【００８３】
さらに、前記電子辞書１０から携帯単語帳３０に送信した登録対象のデータが当該携帯単語帳３０のタッチパネル式表示部３２に表示されている状態で、前記電子辞書１０側での編集キー［Ｅ］の操作により前記登録対象としたデータの内容をユーザ任意に並び替えるための編集モードに設定すると、前記携帯単語帳３０のタッチパネル式表示部３２をタッチ操作することにより、前記登録対象のデータを任意に並び替えて表示させた後に登録できる。
【００８４】
なお、上記実施形態の説明では、電子辞書１０から携帯単語帳３０に登録対象のデータを送信するようにしたが、携帯型単語帳３０に電子辞書１０と同じ辞書データを記憶させておいて、電子辞書１０側で表示された説明情報の中から登録対象の範囲がユーザにより指定された場合に、その範囲を示すデータを電子辞書１０から携帯単語帳３０に送信するようにしても良い。その場合には、携帯単語帳３０は、範囲を示すデータを受信し、その範囲を示すデータに基づいて、記憶している説明情報のうち対応する範囲を表示することにする。
【００８５】
また、電子辞書１０で範囲が指定される毎に携帯単語帳３０に登録するデータが送信されるようにしていたが、所望の範囲を選んだ後で、ユーザが決定等の操作をしたことを条件に送信するようにしても良い。
【００８６】
なお、前記各実施形態において記載した電子単語帳システムによる各処理の手法、すなわち、図４のフローチャートに示す前記電子辞書１０による全体処理、図５のフローチャートに示す前記携帯単語帳３０による全体処理等の各手法は、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記録装置の媒体に格納して配布することができる。そして、辞書機能を備えた電子機器（１０）のコンピュータ（制御装置）や当該電子機器（１０）と通信接続可能な携帯機器（３０）のコンピュータ（制御装置）は、この外部記憶装置の媒体に記憶されたプログラムを記憶装置に読み込み、この読み込んだプログラムによって動作が制御されることにより、前記各実施形態において説明した電子単語帳システムの機能を実現し、前述した手法による同様の処理を実行することができる。
【００８７】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から前記プログラムのデータを、前記辞書機能を備えた電子機器（１０）や当該電子機器（１０）と通信接続可能な携帯機器（３０）に取り込んで記憶装置に記憶させ、前述した電子単語帳システムを実現することもできる。
【００８８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８９】
以下に、本願出願の当初の特許請求の範囲に記載された発明を付記する。
【００９０】
［１］
辞書機能を備えた電子機器と当該電子機器と通信可能な表示装置とを備えた電子辞書システムであって、
前記辞書機能を備えた電子機器は、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段とを備え、
前記表示装置は、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段とを備えた、
ことを特徴とする電子辞書システム。
【００９１】
［２］
前記表示装置において、
前記データ表示手段は、前記データ受信手段により受信された指示データに基づいて行われる表示が１画面に納まるかを判断し、１画面に納まらないと判断した場合はフォントサイズを小さくして表示する、
ことを特徴とする［１］に記載の電子辞書システム。
【００９２】
［３］
前記表示装置において、
前記データ表示手段により表示されたデータにマーカーを付加するマーカー付加手段を備え、
前記マーカー付加手段によりマーカーを付加した場合、前記登録手段は、前記データ表示手段により表示されたデータを前記マーカーを付加した状態で登録する、
ことを特徴とする［１］または［２］に記載の電子辞書システム。
【００９３】
［４］
前記表示装置において、
前記データ表示手段により表示されたデータのうちユーザ操作に応じて指定されたデータを並び替えて表示する並び替え表示手段を備え、
前記並び替え表示手段によりデータを並び替えて表示した場合、前記登録手段は、前記データ表示手段により表示されたデータを並び替えた状態で登録する、
ことを特徴とする［１］ないし［３］の何れかに記載の電子辞書システム。
【００９４】
［５］
表示装置と通信可能な辞書機能を備えた電子機器であって、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段と、
を備えたことを特徴とする辞書機能を備えた電子機器。
【００９５】
［６］
見出し語とその説明情報を表示する情報表示手段と、前記情報表示手段により表示された説明情報のうちユーザ操作に応じて任意の範囲を指定する範囲指定手段と、前記範囲指定手段により前記表示された説明情報のうちの任意の範囲が指定された後、当該指定の範囲のデータに対応する指示データを送信するデータ送信手段とを備えた辞書機能を備えた電子機器と通信可能な表示装置であって、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段と、
を備えたことを特徴とする表示装置。
【００９６】
［７］
表示装置と通信可能な辞書機能を備えた電子機器のコンピュータを、
見出し語とその説明情報を表示する情報表示手段と、
前記情報表示手段により表示された説明情報のうちユーザ操作に応じて任意の範囲を指定する範囲指定手段と、
前記範囲指定手段により前記表示された説明情報のうちの任意の範囲が指定された後、当該指定の範囲のデータに対応する指示データを前記表示装置へ送信するデータ送信手段、
として機能させるためのプログラム。
【００９７】
［８］
見出し語とその説明情報を表示する情報表示手段と、前記情報表示手段により表示された説明情報のうちユーザ操作に応じて任意の範囲を指定する範囲指定手段と、前記範囲指定手段により前記表示された説明情報のうちの任意の範囲が指定された後、当該指定の範囲のデータに対応する指示データを送信するデータ送信手段とを備えた辞書機能を備えた電子機器と通信可能な表示装置のコンピュータを、
前記辞書機能を備えた電子機器から送信された前記指示データを受信するデータ受信手段と、
前記データ受信手段により受信された前記指示データに基づいて、前記見出し語の説明情報における前記指定の範囲のデータを表示するデータ表示手段と、
前記データ表示手段により表示された前記見出し語の説明情報における前記指定の範囲のデータを登録する登録手段、
として機能させるためのプログラム。
【符号の説明】
【００９８】
１０  …電子辞書（辞書機能を備えた電子機器）
１４  …キー入力部（辞書）
１４Ｒ…［登録］キー
１５  …タッチパネル式表示部（辞書）
３０  …携帯単語帳（表示装置）
３１  …キー入力部（単語帳）
３２  …タッチパネル式表示部（単語帳）
２１，４１…ＣＰＵ
２２，４２…記憶装置
２２ａ…辞書制御プログラム
４２ａ…単語帳制御プログラム
２２ｂ…辞書データベース
４２ｂ…単語帳データ
２３  …外部記録媒体
２４  …記録媒体読み取り部
２５，４３…通信部
２６，４４  …ＲＡＭ
５０  …Ｗｅｂサーバ
Ｎ    …通信ネットワーク
【図１】
2017004032.tif 000003
【図２】
2017004032.tif 000004
【図３】
2017004032.tif 000005
【図４】
2017004032.tif 000006
【図５】
2017004032.tif 000007
【図６】
2017004032.tif 000008
【図７】
2017004032.tif 000009